(57)【要約】【課題】  原木を穿孔するキリを高寿命化する。【解決手段】  ドリル２のドリルチャック４にキリ６の基端側を固定する。ドリルチャック４の近傍に、キリ６の原木への所定深さ以上の侵入を阻止するストッパ８を設ける。ストッパ８からキリ６の先端側に向かってキリ６の周囲を包囲しながら所定距離だけコイルばね１８を設ける。【選択図】        図１
2009261254.tif 000002
【特許請求の範囲】
【請求項１】
ドリルのドリルチャックに基端側が固定され、前記ドリルによって回転させられて、原木に穴を切削するキリの前記原木への所定深さ以上の侵入を阻止するストッパと、
前記ストッパから前記キリの先端側に向かって前記キリの周囲を包囲しながら所定距離だけ設けられ、前記キリの長さ方向に沿って伸縮可能な弾性体とを、
具備する椎茸栽培用穿孔ドリルの補助具。
【請求項２】
請求項１記載の椎茸栽培用穿孔ドリルの補助具において、前記ストッパは、環状に形成され、前記ドリルに固定される椎茸栽培用穿孔ドリルの補助具。
【請求項３】
請求項１記載の椎茸栽培用穿孔ドリルの補助具において、前記ストッパは、前記キリの基端側に形成されたフランジ状体である椎茸栽培用穿孔ドリルの補助具。
【請求項４】
請求項１記載の椎茸栽培用穿孔ドリルの補助具において、前記弾性体は、コイルばねである椎茸栽培用穿孔ドリルの補助具。
【発明の詳細な説明】
【技術分野】
【０００１】
本発明は、椎茸の栽培用に原木に植菌するために原木を穿孔するドリルに設ける補助具に関する。
【背景技術】
【０００２】
椎茸の栽培の１手法として原木栽培がある。原木栽培では、原木に孔を穿ち、この孔に椎茸菌を埋め込む。原木に孔を穿つために、ドリルが使用される。このドリルの一例が、非特許文献１に開示されている。このドリルでは、ドリルのチャックにキリを取り付けた状態において、環状のストッパの中心付近にキリが位置するようにチャックの付近に上記ストッパを配置してある。このストッパは、固定用の棒状部をキリの長さ方向に沿って有し、この棒状部がドリル本体にネジ止めされている。このストッパを設けてあることによって、原木に孔を穿った際、その孔の深さが所定深さ以上になることを防止している。
【０００３】
【非特許文献１】日立工機  日立椎茸ドリル  １２ｍｍ  ＤＷ１２  ＤＷ１２ＳＡ取扱説明書（ｈｔｔｐ：／／ｗｗｗ．ｈｉｔａｃｈｉｋｏｋｉ．ｃｏ．ｊｐ／ｍａｎｕａｌ＿ｖｉｅｗ＿ｄｏｍｅｓｔｉｃ／ｐｄｆ＿ｍａｎｕａｌ＿ｖｉｅｗ．ｄｏ？ｉｍｐｌｅｍｅｎｔａｔｉｏｎＷｏｒｋＮｕｍｂｅｒ＝２１０＆ｐａｒｔｓＣｏｄｅ＝Ｃ９９００１５０２＆ｍｏｄｅｌ＝ＤＷ１２％２ＦＤＷ１２ＳＡ）
【発明の開示】
【発明が解決しようとする課題】
【０００４】
しかし、このようなストッパを用いる場合、孔からキリを抜く際に、キリを真っ直ぐに抜くことができず、キリをこねることになり、キリの切れ味が比較的速く悪くなり、キリの寿命が短くなりやすかった。また、穿孔作業時には、穿孔後のキリを引き抜くとき、回転で中へ進もうとしているキリに反するため大きな力が必要であった。
【０００５】
本発明は、キリを高寿命化することができ、かつ穿孔作業を容易に行える椎茸栽培用穿孔ドリルの補助具を提供することを目的とする。
【課題を解決するための手段】
【０００６】
本発明の一態様の椎茸栽培用穿孔ドリルの補助具は、ストッパを有している。このストッパは、ドリルのドリルチャックに基端側が固定され、前記ドリルによって回転させられて、原木に穴を切削するキリの前記原木への所定深さ以上の侵入を阻止するもので、例えば環状に形成され、前記ドリルに固定されるものであったり、キリの基端側に形成されたフランジ状のものである。前記ストッパから前記キリの先端側に向かって弾性体が前記キリの周囲を包囲しながら所定距離だけ設けられている。この弾性体は、前記キリの長さ方向に沿って伸縮可能である。弾性体としては、例えばコイルばねを使用することができる。
【０００７】
このように構成された椎茸栽培用穿孔ドリルの補助具は、キリの先端を原木に当てて、ドリルを回転させ、キリを原木内に進行させて行くに従って、弾性体が縮み、所定の深さまで進行すると、弾性体がストッパに当たって、それ以上、キリが進行することが阻止される。この状態において、ドリルの回転を停止させ、キリを抜く方向に移動させると、伸縮して弾性体が伸張して、キリがこねられることなく、真っ直ぐに抜ける。そのため、キリに負荷が掛からず、キリの切れ味が悪くなることがなく、高寿命化を図ることができる。また、キリを原木内に進行させる際、弾性体が案内として機能し、かつ縮んだ弾性体の反発力によってドリルが原木側に押されるので、大きな力でドリルを原木側に押す必要が無く、ドリルの負担が少なくなり、また穿孔作業に大きな労力が不要となる。
【発明の効果】
【０００８】
以上のように、本発明によれば、キリの高寿命化を図ることができる上に、穿孔作業を容易に行うことができる。
【発明を実施するための最良の形態】
【０００９】
本発明の第１の実施形態の椎茸栽培用穿孔ドリルの補助具は、図１に示すようなドリル２と共に、使用する。ドリル２は、公知のものであるので、その詳細な説明は省略する。ドリル２の先端にドリルチャック４が設けられており、このドリルチャック４に、原木を穿孔するためのキリ６が着脱自在に取り付けられている。
【００１０】
ドリルチャック４の近傍に、ストッパ、例えば環状リング８が、その中心にキリ６が位置するように配置されている。環状リング８には、固定棒１０が一体に形成されている。固定棒１０は、ドリル２のハウジング側に伸びており、ボルト１２が形成されている。このボルト１２がドリル２のハウジング２ａに形成した固定部１４にナット１６、１６によって固定されている。このボルト１２の固定位置を調整することによって、環状リング８の固定位置も調整される。
【００１１】
この環状リング８に一体に、弾性体、例えばコイルばね１８が取り付けられている。コイルばね１８は、固定棒１０とは反対側の環状リング８の側に、例えば溶接によって固定されている。コイルばね１８の内部のほぼ中心にキリ６が位置するようにコイルばね１８が配置されている。コイルばね１８の長さは、キリ６の先端がコイルばね１８から突出するように、この実施形態では構成されている。キリ６の先端とコイルばね１８との位置関係も、環状リング８の取付位置の変更によって調整できる。
【００１２】
このように構成された補助具を取り付けたドリル２によって原木２０に穿孔する場合、図２に示すように、キリ６の先端を原木２０に当て、ドリル２のモータ（図示せず）を回転させることによってキリ６を原木２０内に進行させることによって孔２２が形成される。キリ６の進行に伴い、コイルばね１８の先端が原木２０に接触し、圧縮されていく。コイルばね１８が完全に圧縮された状態において、キリ６は、これ以上進行することはできず、所定の深さに孔２２が形成される。この穿孔の間、コイルばね１８の圧縮によってもキリ６の進行が行われるので、ドリル２のモータの負担が軽くなり、またドリルを大きな力で原木から引き抜く必要が無く、穿孔作業が容易になる。
【００１３】
穿孔終了後、モータの回転を停止させると、圧縮されたコイルばね１８が元の長さ復帰しようとするので、これに伴いキリ６が孔２２から真っ直ぐに抜ける。従って、キリ６によって原木２０をこねることがなく、キリ６の切れ味が悪くなることはなく、キリ６の高寿命化を図ることができる。
【００１４】
本発明の第２の実施形態の補助具は、キリ６ａに一体にフランジ状のストッパ８ａが形成されている場合のもので、このフランジ状のストッパ８ａにコイルばね１８が取り付けられている以外、第１の実施形態の補助具と同様に構成され、第１の実施形態の補助具と同様に動作するので、詳細な説明は省略する。
【００１５】
上記の両実施形態の補助具では、弾性体としてコイルばね１８を使用したが、これに限ったものではなく、例えばキリ６、６ａの周囲にこれを囲むように所定の間隔をおいて複数の板ばねを配置することもできる。
【図面の簡単な説明】
【００１６】
【図１】本発明の第１の実施形態の補助具を取り付けたドリルの部分破断側面図。
【図２】図１のドリルによって原木を穿孔している状態を示す縦断面図である。
【図３】本発明の第２の実施形態の補助具を取り付けたドリルの部分省略破断側面図である。
【符号の説明】
【００１７】
２  ドリル
４  ドリルチャック
６  キリ
８  ８ａ  ストッパ
１８  コイルばね（弾性体）
【図１】
2009261254.tif 000003
【図２】
2009261254.tif 000004
【図３】
2009261254.tif 000005